(57)【要約】      （修正有）【課題】圧着力の作用による固定を利用する物品において固定状態の保持をすべて圧着力に依存するのではなく圧着力による固定機能が低下しても当初の固定状態が保持されるようにするため固定原理の異なる第二の固定手段を提供する。【解決手段】圧着力による固定という第一の固定手段に加えて圧着力による固定状態にある全ての部材の位置の固定という第二の固定手段を提供する。この物品は天井と床との空間に圧着することにより固定し自由に物を取り付けるための支柱として使用される。この物品は２個の間隔調整材Ａ、Ｂを有しＡ、Ｂにはボルト軸が通過できるだけの空隙を持った溝が長さ方向に付いている。Ａ、Ｂは２個の蝶ボルトＣ、Ｄによって前後に連結している。Ｃ、ＤはＢに設けられた２個のナットＣ２、Ｄ２に噛み合っている。Ｅは端部に圧着力発生具Ｆを付属した圧着力発生台である。【選択図】図１
0003159706.tif 000002
【実用新案登録請求の範囲】
【請求項１】
圧着力の作用による固定を利用する物品にあって、圧着力による固定という第一の固定手段に加えて圧着力による固定状態にある全ての部材の位置の固定という第二の固定手段を有する圧着装置。
【請求項２】
圧着力の作用による固定を利用する物品にあって、固定する対象面の間隔にあわせて寸法を調整できる部材と任意の位置に固定できる圧着力を生み出す源の部品（以下、圧着力発生具という）を有し、圧着力による固定という第一の固定手段に加えて圧着力による固定状態にある全ての部材の位置の固定という第二の固定手段を有する圧着装置。
【請求項３】
圧着力の外向き方向への作用による固定を利用する物品にあって、固定する対象面の間隔にあわせて寸法を調整できる部材と任意の位置に固定できる圧着力発生具を有し、圧着力による固定という第一の固定手段に加えて圧着力による固定状態にある全ての部材の位置の固定という第二の固定手段を有する圧着装置。
【請求項４】
圧着力の内向き方向への作用による固定を利用する物品にあって、固定する対象面の間隔にあわせて寸法を調整できる部材と任意の位置に固定できる圧着力発生具を有し、圧着力による固定という第一の固定手段に加えて圧着力による固定状態にある全ての部材の位置の固定という第二の固定手段を有する圧着装置。
【考案の詳細な説明】
【技術分野】
【０００１】本考案は圧着装置に関するものである。
【背景技術】
【０００２】従来の圧着力の作用による固定を利用する圧着物品は共通の技術背景によっている。すなわち物品を固定する場合、多くの場合２個の間隔調整用の部材を操作して圧着力を生み出す源となる部品（以下この部品のことを圧着力発生具という）が有効に作用するよう寸法調整し、適切な位置で間隔調整用部材の連結を固定する（以下固定対象面の間隔にあわせるための寸法調整用の部材を間隔調整材という）。そして圧着力発生具を作動し圧着力を利用して固定するという技術である。
この技術は従って固定状態の維持をすべて圧着力発生具が生み出す圧着力に依存していることになる。ところが圧着力発生具にネジを使う場合、ネジの緩みを完全に回避するのは技術的に困難である。またバネを使う場合、圧着力を適切にコントロールすることが難しい。そのため時間経過の中で圧着力の低下という機能不全が起こりやすく、また圧着力低下による事故を避けるために過度に力を加えると固定対象面の破損という危険性がある。
【考案が解決しようとする課題】
【０００３】本考案の課題は、圧着力の作用による固定を利用する物品において当初の固定状態の保持をすべて圧着力発生具に依存するのではなく固定状態保持のため固定原理の異なる第二の固定手段を提供するところにある。
【考案が解決するための手段】
【０００４】従来技術では圧着力発生具を作動させることによって固定を完結させるが、上記課題を解決するため本考案の圧着装置では、圧着力による固定という第一次固定の後、圧着力による固定状態にある全ての部材の位置を最終的に固定するという第二次固定を行う。そのために間隔調整材または間隔調整材に連結固定した部材の一方に材面上を自由に移動可能で同時に適宜の位置に容易に固定できる圧着力発生具を組み込んだ基板（以下、圧着力発生台という）を付属させる。以下使い方について説明する。まず固定対象面の間隔にあわせた間隔調整材による寸法調整を行う。従来技術と同じであるが異なるのはこの段階では間隔調整材の位置を固定せず仮固定に留める。仮固定とは力を加えると動くが自然重力だけでは動かない状態をいう。次に圧着力発生具がネジ式の場合、先ず圧着力発生具が有効に機能できる位置に圧着力発生台を固定する。そして圧着力発生具を作動させてもう一方の間隔調整材または間隔調整材に連結固定した部材に圧着力を加えて固定する。圧着力発生具がバネ式の場合、仮固定状態の間隔調整材と圧着力発生台を同時に動かしてもう一方の間隔調整材または間隔調整材に連結固定した部材を押し込み、適当な圧着力が加えられたところで圧着力発生台の位置を固定する。以上が第一次固定の操作である。第二次固定では仮固定状態にある間隔調整材の位置の固定を行う。上記では第二次固定で仮固定状態にあった間隔調整材の位置の固定が行われるが、圧着力発生台の位置の固定が第二次固定によって行われることもある。この違いは部材の配列によるものであり原理は変わらない。いずれにせよ第一次固定は圧着力による固定であり第二次固定は、圧着力による固定状態にある全ての部材の位置の最終的な固定である。固定原理が異なるので仮にどちらかの固定機能が低下しても互いに影響をうけない。
【考案の効果】
【０００５】このように本考案の圧着装置によれば、原理が異なる二つの手段によって固定が実現されるため従来技術に比して格段に安定した固定状態を実現できる。圧着力の低下という機能不全が発生する確率を小さくすることが出来る。更に圧着力の低下に伴う事故をおそれて過度に強い力を加える必要性が小さくなるので固定対象面を傷める危険性を小さくすることが出来る。
【図面の簡単な説明】
【０００６】
【図１】圧着装置の実施方法を示した説明図である。（実施例１）
【図２】圧着力発生具の実施方法を示した説明図である。（実施例１）
【図３】圧着装置の実施方法を示した説明図である。（実施例２）
【図４】圧着力発生具の実施方法を示した説明図である。（実施例２）
【考案を実施するための形態】
【０００７】圧着力の作用による固定を利用する物品にあって、圧着力発生具の圧着力が低下しても直ちに固定機能の不全が起こらないようにする目的に対し圧着力による固定状態にある全ての部材の位置を固定するという第二の固定手段を有した圧着装置によって実現した。
【実施例１】
【０００８】本考案の実施例について図面を参照しながら説明する。
図１は圧着力を外向きに作用させることによって固定する圧着物品の一例を示している。この物品は天井と床との空間に圧着することにより固定し自由に物を取り付けるための支柱として使用される。この物品は２個の間隔調整材Ａ、Ｂを有しＡ、Ｂにはボルト軸が通過できるだけの空隙を持った溝が長さ方向に付いている。Ａ、Ｂは２個の蝶ボルトＣ、Ｄによって前後に連結している。Ｃ、ＤはＢに設けられた２個のナットＣ２、Ｄ２に噛み合っている。Ｅは端部に圧着力発生具Ｆを付属した圧着力発生台である。圧着力発生具にはネジ式とバネ式があるが本実施例ではネジ式となっている。圧着力発生台の裏面には１個のナットＧ２が付いていてＢと接している。蝶ボルトＧがナットＧ２に噛み合うことによりＥはＢに連結している。Ａ、Ｂ、Ｅが相互に接面する各箇所の摩擦力を大きくすることにより固定状態をより安定させるためにＢ面上に滑り止めシートＨが貼られている。第２図は圧着力発生台Ｅと圧着力発生具Ｆの拡大図である。圧着力発生具は圧着力発生台にその一部が埋め込められ固定されたオネジＩとこれに噛み合う六角高ナットＪによって構成される。
この圧着物品の使用法はまずＡを上下方向に伸縮させて間隔調整材ＡとＢの全長が天井と床の高さにほぼ等しくなるようにする。Ｂを床に立てＡの上端が天井に軽く触れる程度に寸法調整しＡおよびＢの位置を仮固定するためにＣ、Ｄのネジを適当に締める。次に圧着力発生台Ｅを移動させて圧着力発生具ＦがＡに対して圧着力を作用させるのに適当な位置におく。そして蝶ボルトＧを締めてＥを固定する。次に六角高ナットＪを回転させて上方に伸ばす。そしてＡを下から押し上げる。Ｊの回転を加減し適当な圧着力によってＡとＢを天井面と床面に固定させる。最後にＣ、Ｄの蝶ボルトを締めてＡとＢの位置を固定する。
【実施例２】
【０００９】本考案のもう１つの実施例について図面を参照しながら説明する。
図３は圧着力を内向き方向に作用させることによって固定する圧着物品の一例を示している。本実例は作業台付きの万力、バイスである。この物品は作業台基板Ｘと２個の間隔調整材Ｋ、Ｌを有しＸにはボルト軸が通過できるだけの空隙を持った溝が長さ方向に付いている。Ｋ、Ｌはそれぞれ１個の六角ボルトＭ、ＮによってＸと上下に連結している。Ｍ、Ｎのボルトの頭はＸの裏面にある溝におさまっていてボルトの軸はＸにもうけられた溝とＭ、Ｎの材面の中央に開いた穴を貫通してＭ、Ｎの表面に突き出ておりその先端は蝶ナットＭ２、Ｎ２に噛み合っている。Ｏは端部に圧着力発生具Ｐを付属した圧着力発生台である。圧着力発生具にはネジ式とバネ式があるが本実施例ではバネ式となっている。六角ボルトＱがＮの右側にありＭ、Ｎと同じようにＸと圧着力発生台Ｏの材面の中央の穴を貫通してＯの表面に突き出ておりその先端は蝶ナットＱ２と噛み合っている。Ｋ、Ｌ、Ｏが相互に接面する各箇所の摩擦力を大きくすることにより固定状態をより安定させるためにＸの表面上に滑り止めシートＨが貼られている。またＸの裏面にも作業台基板を動かないようにするため滑り止めシートＨが貼られている。第４図は圧着力発生台Ｏと圧着力発生具Ｐである。圧着力発生具Ｐは圧着力発生台Ｏの片側端部に付いた押しバネによって構成される。
この圧着物品の使用法はまず作業台基板Ｘをテーブル等の上にのせる。そして挟み込みする対象の材料をＫ、Ｌの間の任意の位置に置く。材料を挟み込むのに適当な位置になるようにＫをＸの材面上を移動させて任意の位置を決める。そしてＭ２のナットを締めてＫの位置を固定する。次にＬおよびＯをＸ面上移動させて反対方向から材料に接触する程度まで接近させる。そして蝶ナットＮ２を適当に締めてＬを仮固定する。そして圧着力発生台ＯをＫの方向に動かし付属するバネをＬに接触させさらにバネが適度に圧縮するまでＬを押し込む。その状態を保ったままＱ２を締めてＯの位置を固定する。最後にナットＮ２を締めてＬの位置を固定する。以上本例では第二次固定が間隔調整材であるＬの固定によって行われるが本例と配置を逆にしてＬをＯの右に置き更にＯのバネがＬに当たるように右向きにしてＫとＯのバネの付いていない側の端部との間で対象物を挟みこむ配置を取った場合、第一次固定は間隔調整材のＬの固定、第二次固定は圧着力発生具と一体のＯの固定によって行われる。いずれの場合でも第一次固定が圧着力による固定であり第二次固定が全ての部材の位置の最終的な固定によって行われることについて変わりない。
【産業上の利用可能性】
【００１０】圧着力の作用による固定を利用する物品において圧着力発生具の圧着力が低下しても直ちに固定機能の不全が起こらないようにする必要のある用途および固定対象面を傷める危険性を小さくしなければならない用途に適用できる。
【符号の説明】
【００１１】Ａ    間隔調整材
Ｂ    間隔調整材
Ｃ    蝶ボルト
Ｄ    蝶ボルト
Ｃ２  Ｃと噛み合うナット
Ｄ２  Ｄと噛み合うナット
Ｅ    圧着力発生台
Ｆ    圧着力発生具ネジ
Ｇ    蝶ボルト
Ｇ２  Ｇと噛み合うナット
Ｈ    滑り止めシート
Ｉ    圧着力発生具オネジ
Ｊ    圧着力発生具六角高ナット
Ｋ    間隔調整材
Ｌ    間隔調整材
Ｍ    六角ボルト
Ｎ    六角ボルト
Ｍ２  蝶ナット
Ｎ２  蝶ナット
Ｏ    圧着力発生台
Ｐ    圧着力発生具バネ
Ｑ    六角ボルト
Ｑ２  蝶ナット
Ｘ    作業台基板
【図１】
0003159706.tif 000003
【図２】
0003159706.tif 000004
【図３】
0003159706.tif 000005
【図４】
0003159706.tif 000006
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
圧着力の外向き方向への作用による固定を利用する圧着装置にあって、天井と床との空間や壁と壁との空間に圧着装置を固定させるためその空間の間隔にあわせて寸法を連結ネジによって調整できるネジ固定式の２個以上の間隔調整材とその内の一個の間隔調整材の任意の位置に固定できる圧着力を生み出す源の部品である圧着力発生具を有し、圧着力発生具を取り付けた間隔調整材である圧着間隔調整材と圧着力発生具による圧着力を受ける間隔調整材である被圧着間隔調整材が圧着力発生具の作動により空間に圧着固定し、連結ネジを締めることにより圧着間隔調整材と被圧着間隔調整材の位置を固定する圧着装置。
【請求項２】
圧着力の内向き方向への作用による固定を利用する圧着装置にあって、目的物を挟んで固定するために目的物の両端間の間隔にあわせて寸法を連結ネジによって調整できるネジ固定式の２個以上の間隔調整材とその内の一個の間隔調整材の任意の位置に固定できる圧着力を生み出す源の部品である圧着力発生具を有し、圧着力発生具を取り付けた間隔調整材である圧着間隔調整材と圧着力発生具による圧着力を受ける間隔調整材である被圧着間隔調整材との間に圧着力発生具を作動させることにより目的物を圧着固定し、連結ネジを締めることにより圧着間隔調整材と被圧着間隔調整材の位置を固定する圧着装置。